(57)【要約】【課題】  熱現像装置の手差し挿入口からの搬送路に複数枚の熱現像記録材料が同時に搬入されることを防止して、現像の失敗やジャミングの発生を未然に防止する。【解決手段】  手差し挿入された熱現像記録材料Ａを加熱して熱現像記録材料Ａの感光層に記録された潜像を顕像化する熱現像装置１００であって、熱現像記録材料Ａを挿入する挿入口３６からの搬送路途中に、熱現像記録材料Ａが複数枚同時に搬送されることを防止する複数枚送り防止手段３８を設けた。【選択図】  図１
2005255373.tif 000002
【特許請求の範囲】
【請求項１】
手差し挿入された熱現像記録材料を加熱して該熱現像記録材料の感光層に記録された潜像を顕像化する熱現像装置であって、
前記熱現像記録材料を挿入する挿入口からの搬送路途中に、前記熱現像記録材料が複数枚同時に搬送されることを防止する複数枚送り防止手段を設けたことを特徴とする熱現像装置。
【請求項２】
前記複数枚送り防止手段が、前記熱現像記録材料の搬送方向に回転する第１ローラと、前記第１ローラに対向して配置され搬送される前記熱現像記録材料を前記第１ローラと協働して狭持し前記熱現像記録材料相互間の摩擦力より大きい摩擦力を付与する分離部材とを少なくとも備えたことを特徴とする請求項１記載の熱現像装置。
【請求項３】
前記第１ローラと前記分離部材との間における単位長さ当たりのニップ力が５０ｇｆ／ｃｍ以下であることを特徴とする請求項２記載の熱現像装置。
【請求項４】
前記分離部材が前記第１ローラに対向して配置される第２ローラであって、前記第１ローラと前記第２ローラのうち、上側に位置するいずれか一方のローラが、該ローラの自重によって下側に位置する他方のローラに押し当てられることを特徴とする請求項２又は請求項３記載の熱現像装置。
【請求項５】
前記第１ローラと前記第２のローラのいずれかが、前記熱現像記録材料を前記熱現像装置の内部へ引き込む方向の回転を許容するワンウェイクラッチを介して回転駆動されていることを特徴とする請求項１〜請求項４のいずれか１項記載の熱現像装置。
【請求項６】
前記第１ローラと前記第２のローラのいずれかが、前記熱現像記録材料の搬送駆動力を制限するトルクリミッタを介して回転駆動されていることを特徴とする請求項１〜請求項５のいずれか１項記載の熱現像装置。
【請求項７】
前記複数枚送り防止手段が、前記熱現像記録材料の複数枚の同時挿入を検出した場合に報知する報知手段を備えたことを特徴とする請求項１〜請求項６のいずれか１項記載の熱現像装置。
【発明の詳細な説明】
【技術分野】
【０００１】
本発明は、感光性熱現像記録材料を加熱し、該感光性熱現像記録材料の画像形成層に記録された潜像を顕像化する熱現像装置に関する。
【背景技術】
【０００２】
近年、医療分野において環境保全、省スペースの観点から処理廃液の減量が強く望まれており、レーザー・イメージセッター又はレーザー・イメージャーにより効率的に露光させることができ、高解像度及び鮮鋭さを有する鮮明な黒色画像を形成することができる医療診断用及び写真技術用途の感光性熱現像写真材料に関する技術が注目されている。これら感光性熱現像写真材料では、溶液系処理化学薬品の使用をなくし、より簡単で環境への配慮に影響を与えない熱現像処理システムを市場に供給することができる。
【０００３】
このような熱現像処理システムとしては、湿式処理を行う必要がないドライシステムによる記録装置が市販されている（例えば、特許文献１参照）。このような記録装置では、感光性及び感熱性記録材料（感光感熱記録材料）や熱現像感光材料のフィルムが用いられる。以下、この材料を「熱現像記録材料」又は「熱現像感光材料」と称する。また、このドライシステムによる記録装置では、露光部において熱現像記録材料にレーザ光を照射（走査）して潜像を形成し、その後、熱現像部において熱現像記録材料を加熱手段に接触させて熱現像を行い、その後、冷却し、画像が形成された熱現像記録材料を装置外に排出している。このようなドライシステムは、廃液処理の問題を解消することができ、環境衛生上好ましい処理システムとして評価されている。
【０００４】
上記のような熱現像装置では、主に、片面に感光層を有する熱現像記録材料に対して熱現像処理が行われている。これに対して、両面に感光層を有する熱現像記録材料を手差し挿入して、熱現像処理を行う熱現像装置もある。この種の熱現像装置は、主に暗室内で、記録済みの熱現像記録材料を一枚一枚手差しにより熱現像装置に挿入して熱現像処理を行う。
【特許文献１】特開２００４−００４２７９号公報
【発明の開示】
【発明が解決しようとする課題】
【０００５】
熱現像記録材料を手差し挿入する熱現像装置においては、上記特許文献１に見られる熱現像記録装置と異なり、暗室作業が基本となるので、記録済みの熱現像記録材料の取り扱いが、明所での作業と比較すると不便となる。このため、熱現像装置への手差し挿入時に誤って複数枚を同時挿入する等の取り扱いにミスが生じ易くなる。このような複数枚の同時挿入があった場合には、これらの熱現像記録材料は正しく現像されないばかりか、装置内でジャムを発生させて、その処理に多大な時間を費やすことが起こり得る。
【０００６】
本発明は、上述した事情に鑑みてなされたものであり、その目的は、熱現像装置の手差し挿入口からの搬送路で、複数枚の熱現像記録材料が同時に搬入されることを防止して、現像の失敗やジャミングの発生を未然に防止することができる熱現像装置を提供することにある。
【課題を解決するための手段】
【０００７】
上記目的を達成するための本発明に係る請求項１記載の熱現像装置は、手差し挿入された熱現像記録材料を加熱して該熱現像記録材料の感光層に記録された潜像を顕像化する熱現像装置であって、前記熱現像記録材料を挿入する挿入口からの搬送路途中に、前記熱現像記録材料が複数枚同時に搬送されることを防止する複数枚送り防止手段を設けたことを特徴とする。
【０００８】
この熱現像装置によれば、複数枚の熱現像記録材料が同時に手差し挿入されると、挿入口から搬送される途中で、複数枚送り防止手段によって、その搬送が防止される。従って、２枚以上の複数枚の熱現像記録材料は装置内に搬送されず、正しく現像されずに排出されて熱現像記録材料が無駄になることがないとともに、装置内でジャミングを発生することもないので、現像の失敗やジャミングの発生を未然に防止することができる。
【０００９】
請求項２記載の熱現像装置は、請求項１記載の熱現像装置において、前記複数枚送り防止手段が、前記熱現像記録材料の搬送方向に回転する第１ローラと、前記第１ローラに対向して配置され搬送される前記熱現像記録材料を前記第１ローラと協働して狭持し前記熱現像記録材料相互間の摩擦力より大きい摩擦力を付与する分離部材とを少なくとも備えたことを特徴とする。
【００１０】
この熱現像装置によれば、第１ローラと分離部材との間に２枚以上の複数枚の熱現像記録材料が挿入された場合に、第１ローラに対向して配置された分離部材が、熱現像記録材料相互間の摩擦力より大きい摩擦力を付与するために、複数枚のうちの、下側に配置された熱現像記録材料の搬送を阻止して、複数枚が搬送されることを防止することができる。
【００１１】
請求項３記載の熱現像装置は、請求項２記載の熱現像装置において、前記第１ローラと前記分離部材との間における単位長さ当たりのニップ力が５０ｇｆ／ｃｍ以下であることを特徴とする。
【００１２】
この熱現像装置によれば、第１ローラと分離部材との間に２枚以上の複数枚の熱現像記録材料が挿入された場合に、第１ローラと分離部材との間における単位長さ当たりのニップ力が５０ｇｆ／ｃｍ以下であるために、間違って挿入された複数枚の熱現像記録材料を損傷させることなく容易に引き戻すことができる。
【００１３】
請求項４記載の熱現像装置は、請求項２又は請求項３のいずれか１項記載の熱現像装置において、前記分離部材が前記第１ローラに対向して配置される第２ローラであって、前記第１ローラと前記第２ローラのうち、上側に位置するいずれか一方のローラが、該ローラの自重によって下側に位置する他方のローラに押し当てられることを特徴とする。
【００１４】
この熱現像装置によれば、第１ローラと第２ローラとの間に２枚以上の複数枚の熱現像記録材料が挿入された場合に、第１ローラと第２ローラのうち、上側に位置するいずれか一方のローラが、ローラの自重によって下側に位置する他方のローラに押し当てられるために、間違って挿入された複数枚の熱現像記録材料を損傷させることなく容易に引き戻すことができる。
【００１５】
請求項５記載の熱現像装置は、請求項１〜請求項４のいずれか１項記載の熱現像装置において、前記第１ローラと前記第２のローラのいずれかが、前記熱現像記録材料を前記熱現像装置の内部へ引き込む方向の回転を許容するワンウェイクラッチを介して回転駆動されていることを特徴とする。
【００１６】
この熱現像装置によれば、第１ローラと第２のローラのいずれかが、ワンウェイクラッチを介して回転駆動されるので、搬送路後段で熱現像される際の搬送速度が速められた場合に、熱現像記録材料の搬送速度の増加を許容することができる。つまり、後段で熱現像記録材料が熱現像される際に、搬送速度を速めることができ、そのときにはクラッチが空転を始める。これにより、熱現像記録材料の装置内への取り込みを低速で行い、熱現像する部分では熱現像記録材料を高速に搬送することが可能となり、熱現像記録材料の取り扱い性を損なうことなく、熱現像のタクトアップを図ることができる。
【００１７】
請求項６記載の熱現像装置は、請求項１〜請求項５のいずれか１項記載の熱現像装置において、前記第１ローラと前記第２のローラのいずれかが、前記熱現像記録材料の搬送駆動力を制限するトルクリミッタを介して回転駆動されていることを特徴とする。
【００１８】
この熱現像装置によれば、第１ローラと第２のローラのいずれかが、トルクリミッタを介して回転駆動されるので、一定のトルクを超えた力が駆動されるローラに負荷されると、トルクリミッタがこの駆動されるローラの回転を停止させる。このため、熱現像記録材料の挿入時等に異常が発生した場合に、熱現像記録材料を熱現像装置の外部へ引き戻すことができる。また、トルクリミッタに加えてワンウェイクラッチを併用した構成としても良い。その場合には、熱現像記録材料の装置内への取り込みを低速で行い、熱現像する部分で高速に搬送することが可能としつつ、熱現像記録材料の挿入時等に異常が発生した場合に、熱現像記録材料を熱現像装置の外部へ引き戻すことができる。
【００１９】
請求項７記載の熱現像装置は、請求項１〜請求項６のいずれか１項記載の熱現像装置において、前記複数枚送り防止手段が、前記熱現像記録材料の複数枚の同時挿入を検出した場合に報知する報知手段を備えたことを特徴とする。
【００２０】
この熱現像装置によれば、複数枚送り防止手段が熱現像記録材料の複数枚の同時挿入を検出した場合に、光や音声等で警報を発する等の報知を行うため、暗室内であっても複数枚の同時挿入があったことを確実に認識することができる。また、報知があった場合には、挿入中の熱現像記録材料を引き戻すことで容易に対処が行える。
【発明の効果】
【００２１】
本発明に係る熱現像装置によれば、熱現像装置の手差し挿入口からの搬送路で、複数枚の熱現像記録材料が同時に搬入されることを防止して、現像の失敗やジャミングの発生を未然に防止することができ、熱現像装置の使い勝手が向上して、常に安定した現像運転が可能となる。
【発明を実施するための最良の形態】
【００２２】
以下、本発明に係る熱現像装置の好適な実施の形態について、図面を参照して詳細に説明する。
図１は本発明に係る熱現像装置の概略構成図、図２は図１に示した熱現像装置に用いる熱現像記録材料の断面図である。
【００２３】
図１に示すように、熱現像装置１００は、熱現像記録材料（感光性熱現像記録材料）Ａを加熱し、画像形成層に記録された潜像を顕像化する装置である。熱現像装置１００に用いられる熱現像記録材料Ａは、図２に示す支持体８０の一方の面である第１面８１と、他方の面である第２面８２との双方に、感光材料からなる画像形成層８３，８３が設けられる。
【００２４】
この熱現像記録材料Ａは、第１面８１と第２面８２との双方（或いは片面）に、図示しない蛍光増感紙を配置して撮影に供される両面感光フィルムである。蛍光増感紙は、Ｘ線が当たると励起して蛍光を発する。第１面８１と第２面８２とに設けられた各画像形成層８３，８３は、この蛍光増感紙からの蛍光とＸ線によって感光される。
【００２５】
手差し挿入口３６から一枚ずつ装置内に挿入された熱現像記録材料Ａは、まず、複数枚送り防止手段３８に送られて、挿入された熱現像記録材料Ａが複数枚同時に挿入されていないかが検出される。一枚だけの挿入であった場合には、搬送ローラ対１２、搬送ガイド１４を経て搬送方向の下流に位置する熱現像部１６へ移送される。また、複数枚同時に挿入されていた場合には、後述する報知部５２からの報知がなされる。この複数枚送り防止手段３８については、その詳細を後述することにする。
【００２６】
なお、搬送ローラ対１２と熱現像部１６との間には、挿入された熱現像記録材料Ａを搬送方向に直交する方向で位置合わせすることにより、下流の熱現像部１６における熱現像記録材料Ａの位置合わせをする幅寄せ部を設けても良い。これにより、熱現像記録材料Ａの斜行が防止される。
【００２７】
熱現像部１６には、熱現像記録材料Ａの第１面８１を加熱する第１加熱手段１８と、熱現像記録材料Ａの第２面８２を加熱する第２加熱手段２０とが、熱現像記録材料Ａの搬送路Ｃを挟んで対向配置されている。本実施の形態において、第１加熱手段１８は、円筒状のヒートドラム２２からなる。また、第２加熱手段２０は、このヒートドラム２２の周表面に熱現像記録材料Ａを押し当てて回転する複数の押さえローラ２４からなる。これらヒートドラム２２及び押さえローラ２４の双方には加熱源となるヒータＨがそれぞれ内蔵されている。
【００２８】
本実施形態では、ヒータＨを内蔵したヒートドラム２２と、ヒータＨを内蔵した押さえローラ２４とが搬送路Ｃを挟んで対向配置されることで、熱現像記録材料Ａの第１面８１と、第２面８２とが同時に加熱されるようになっている。即ち、熱現像記録材料Ａは、ヒートドラム２２と押さえローラ２４との間隙で形成される搬送路Ｃに搬入され、ヒートドラム２２と押さえローラ２４とによって挟持されつつ搬送されると同時に、ヒートドラム２２及び押さえローラ２４の各ヒータＨによる発熱によって加熱され、熱現像される。
【００２９】
ヒートドラム２２の熱源に用いるヒータＨには特に限定はなく、ニクロム線等の発熱体を用いたものやハロゲンランプ等の光源を用いたもの、熱風による加熱を行うもの等、公知の加熱手段を用いることができる。
【００３０】
押さえローラ２４としては、金属ローラ、樹脂ローラ、ゴムローラ等が利用可能であり、ヒートドラム２２の軸線方向の略全長に渡って配置されるのが好ましい。また、押さえローラ２４の熱源に用いるヒータＨも特に限定はなく、ニクロム線等の発熱体を用いたもの等、公知の加熱手段を用いることができる。
【００３１】
この熱現像部１６では、熱現像記録材料Ａが搬送路Ｃに移送されると、第１面８１がヒートドラム２２に押圧されて、第２面８２が押さえローラ２４に押し当てられ、熱現像記録材料Ａの第１面８１と第２面８２とが同時に加熱される。また、この構成ではヒートドラム２２及び押さえローラ２４の双方が熱現像記録材料Ａの搬送速度に同期して回転するので、これら加熱手段と熱現像記録材料Ａとに相対的な位置ずれがなく、熱現像記録材料Ａに擦れが生じない。
【００３２】
そして、熱現像部１６で現像の完了した熱現像記録材料Ａは、搬送方向下流に配設された徐冷部２６に供給される。徐冷部２６は、複数の冷却ローラ対２８からなり、熱現像された熱現像記録材料Ａを徐々に冷却する機能を有する。徐冷部２６で徐冷された熱現像記録材料Ａは、排出ローラ対３０及び３２によって搬送方向下流に移送され、最終的にはトレイ３４に、手で触っても熱く感じない程度に冷却されて排出される。
【００３３】
本熱現像装置１００は、手差し挿入口３６からの搬送路途中に、熱現像記録材料Ａが複数枚同時に搬送されることを防止するための複数枚送り防止手段３８を備えている。
複数枚送り防止手段３８は、公知の種々の構造が採用し得るが、ここでは、一例として次のような摩擦分離給紙方式としている。即ち、複数枚送り防止手段３８は、主として、第１ローラ４０と、分離部材として機能し該第１ローラ４０に対して低回転速度で回転するとともに第１ローラ４０側へ押し当てられる第２ローラ４２と、第２ローラ４２を回転駆動する駆動部４４と、第１ローラ４０の回転駆動力を検出して複数枚送りを検知するトルク検出手段４１と、第１及び第１ローラ４０，４２の搬送路下流側に配置されたガイド部材４６と、このガイド部材４６のさらに搬送路下流側に配置された搬送ローラ対４８を有しており、各部は、制御部５０からの指令によって制御される。また、制御部５０には、複数枚同時挿入が検出された場合に報知を行う報知部５２が接続されている。
【００３４】
ここで、第１ローラ４０と第２ローラ４２との間における単位長さ当たりのニップ力は、５０ｇｆ／ｃｍ以下に設定されている。この範囲のニップ力に設定することにより、第１ローラ４０と第２ローラ４２との熱現像記録材料Ａに対する密着力が必要以上に大きくならず、仮に熱現像記録材料Ａの挿入時に不具合が生じた場合でも、挿入しかけた熱現像記録材料Ａを引き戻すことができる。また、引き戻した熱現像記録材料Ａに傷が付くことを防止できる。
【００３５】
第１ローラ４０は、複数枚送りが生じた場合には、下側、つまり第２ローラ４２側の熱現像記録材料Ａが第２ローラ４２に引っ掛かり、上側、つまり第１ローラ４０側の熱現像記録材料Ａが、下側の熱現像記録材料との間が低摩擦状態となるために、ガイド部材４６側へ単独で搬送されるようになる。このときの第１ローラ４０の駆動トルクは、通常の１枚の搬送時に比べると小さくなる。制御部４０は、このトルク検出手段４１からの駆動トルクの変動を監視することで、複数枚送りを検出する。
また、複数枚送りの検出は、上記方法以外にも、例えば第２ローラ４２を回転自在に支持し、この第２ローラ４２に回転検出手段を取り付けた構成とし、熱現像記録材料Ａの挿入時に第２ローラ４２の回転が停止した場合に複数枚の同時挿入があったと判断するようにしてもよい。
【００３６】
制御部５０は、いずれかの方法によって複数枚の熱現像記録材料Ａが検知されたなら、駆動部４４を停止させ、報知部５２に複数枚検出信号を出力する。
【００３７】
報知部５２は、制御部５０からの複数枚検出信号が入力されると、アラームを発生させたり、所定のランプを点灯させたり、装置の情報表示用のモニタに複数枚挿入された旨を表示させる等の報知が一つ或いは組み合わせてなされる。発光により報知を行う場合には、画像形成層８３，８３（図２参照）に対して感光されない波長の光を発するようにすることが好ましい。
【００３８】
ここで、熱現像記録材料Ａの手差し挿入から熱現像を行うまでの処理を図３のフローチャートを用いて説明する。
まず、熱現像装置１００の手差し挿入口３６に熱現像記録材料Ａを挿入する（ステップ１、以降Ｓ１と略記する）。すると、複数枚送り防止手段３８により、挿入された熱現像記録材料Ａが複数枚の同時挿入であったか否かを検出する（Ｓ２）。複数枚あったかどうか確認して（Ｓ３）、１枚だけであった場合には、そのまま熱現像記録材料Ａを熱現像部１６に搬送して熱現像を行う（Ｓ４）。一方、複数枚であった場合には、報知部５２から警告などの報知を行う（Ｓ５）。その場合には、誤って挿入した複数枚の熱現像記録材料Ａは、複数枚送り防止手段３８が搬送動作を停止するために、手差し挿入口３６から容易に引き戻すことができる。
【００３９】
このように、複数枚送り防止手段３８は、第１ローラ４０と第２ローラ４２との間に複数枚の熱現像記録材料Ａが挿入されると、第２ローラ４２が、熱現像記録材料Ａ相互間の摩擦力より大きい摩擦力を付与するために、複数枚のうちの、下側に配置された熱現像記録材料Ａの搬送を阻止して、複数枚が搬送されてきたことを検知する。これにより複数枚の熱現像記録材料Ａが熱現像部１６に搬送されてしまうことを防止している。またこれにより、複数枚の熱現像記録材料Ａが同時に手差し挿入された場合に、手差し挿入口３６から搬送される途中で、その搬送が停止されることになる。従って、２枚以上の複数枚の熱現像記録材料Ａは装置内に搬送され続けることがなくなる。その結果、正しく現像されずに排出されて熱現像記録材料Ａが無駄になったり、装置内でジャミングを発生することがなくなる。
【００４０】
また、複数枚送り防止手段３８は、第１ローラ４０と第２ローラ４２との間に複数枚の熱現像記録材料Ａが挿入された場合に、第１ローラ４０と第２ローラ４２との間における単位長さ当たりのニップ力が５０ｇｆ／ｃｍ以下であるために、間違って挿入された複数枚の熱現像記録材料Ａを損傷させることなく容易に引き戻すことができる。
【００４１】
図４に複数枚送り防止手段の第１ローラ及び第２ローラの他の形態を示した。
この構成においては、第１ローラ４０は、回動するリンクアーム５４の先端部に回転自在に取付けられており、主に第１ローラ４０の自重によって、下側に位置する第２ローラ４２との間にニップ力を生じさせ、熱現像記録材料Ａを搬送方向へ搬送する従動ローラである。一方、第２ローラ４２は、駆動部４４に接続されて回転駆動される。
この構成によれば、第１ローラ４０と第２ローラ４２とが、第１ローラ４０の自重分の力でニップされて、且つ、容易にこのニップ状態を解除できるため、間違って挿入された複数枚の熱現像記録材料Ａを損傷させることなく容易に引き戻すことができる。
【００４２】
次に、複数枚送り防止手段の他の実施形態を説明する。
図５に第２ローラがワンウェイクラッチを介して回転駆動される複数枚送り防止手段の要部構成図を示した。
第２ローラ４２には、従動歯車５６がワンウェイクラッチ６２を介して第２ローラ４２と同軸に設けられ、この従動歯車５６が、モータ等の駆動部４４からの駆動力を伝達する駆動歯車６０に螺号して回転駆動される。ワンウェイクラッチ６２は、第１ローラ４０と第２ローラ４２に狭持される熱現像記録材料Ａを熱現像装置１００の内部へ引き込む方向の回転を許容するものである。
【００４３】
従動歯車５６に伝達された回転駆動力は、ワンウェイクラッチ６２を介して第２ローラ４２に伝達される。そして、搬送路後段の熱現像部１６における搬送速度が速められた場合に、熱現像記録材料Ａの搬送速度の増加を許容することができる。つまり、搬送路後段で熱現像記録材料の搬送速度が速められた場合に、クラッチが空転を始める。これにより、熱現像記録材料Ａの装置内への挿入動作を低速で行う一方、熱現像部１６では熱現像記録材料Ａを高速で搬送することが可能となる。その結果、熱現像記録材料の取り扱い性を損なうことなく、熱現像処理のタクトアップを図ることができる。
【００４４】
この場合も、複数枚送り防止手段３８は、２枚以上の熱現像記録材料Ａが同時に挿入されてきた際に、複数枚のうちの、下側に配置された熱現像記録材料Ａの搬送を阻止するとともに、複数枚の熱現像記録材料Ａの挿入を検知して、複数枚検出信号が制御部に入力される。
【００４５】
また、複数枚送り防止手段の他の構成例として、上記のワンウェイクラッチの代わりにトルクリミッタを備えた構成にすることができる。
トルクリミッタを備えた構成としては、図５に示すワンウェイクラッチ６２がトルクリミッタ６４に入れ替わるだけであるので、ここでは、図５を用いて説明することとする。
この構成例では、第２ローラ４２がトルクリミッタ６４を介して回転駆動されるので、一定のトルクを超えた力が第２ローラ４２に負荷されると、トルクリミッタ６４が第２ローラ４２の回転を停止させる。このため、熱現像記録材料Ａの挿入時等に異常が発生した場合に、熱現像記録材料Ａを熱現像装置１００の外部へ引き戻すことが容易にできる。さらに、トルクリミッタ６４に加えてワンウェイクラッチ６２を併用すれば、熱現像記録材料Ａの装置内への挿入動作を低速で行い、熱現像部１６では高速に搬送することを可能にするとともに、熱現像記録材料Ａを熱現像装置１００の外部へ引き戻すこともできる。
なお、ここでは、第２ローラ４２を回転駆動側としたが、第１ローラ４０を回転駆動する構成であってもよい。
【００４６】
以上説明したように、本実施形態の熱現像装置１００では、複数枚の熱現像記録材料Ａが同時に手差し挿入されると、手差し挿入口３６から搬送される途中で、複数枚送り防止手段３８によって、その搬送が阻止される。従って、２枚以上の複数枚の熱現像記録材料Ａは装置内に搬送されず、正しく現像されずに排出されて熱現像記録材料Ａが無駄になることがなくなるとともに、装置内でジャミングを発生することもなく、現像の失敗やジャミングの発生を未然に防止することができる。もって、常に安定した現像運転が可能となる。
【００４７】
そして、駆動側のローラがワンウェイクラッチ６２を介して回転駆動されることで、熱現像記録材料の搬送速度を装置内の場所に応じて変更することができ、効率の良い熱現像記録材料の搬送が行える。また、駆動側のローラがトルクリミッタ６４を介して回転駆動されることで、熱現像記録材料の挿入時等の異常発生時に、熱現像記録材料を熱現像装置の外部へ引き戻すことができ、熱現像装置の使い勝手が向上する。
【図面の簡単な説明】
【００４８】
【図１】本発明に係る熱現像装置の概略構成図である。
【図２】感光性現像記録材料の断面図である。
【図３】熱現像記録材料の手差し挿入から熱現像を行うまでの処理を示すフローチャートである。
【図４】複数枚送り防止手段の第１ローラ及び第２ローラの他の形態を示す要部構成図である。
【図５】第２ローラがワンウェイクラッチを介して回転駆動される複数枚送り防止手段の要部構成図である。
【符号の説明】
【００４９】
３６  手差し挿入口（挿入口）
３８  複数枚送り防止手段
４０  第１ローラ
４２  第２ローラ（分離部材）
６２  ワンウェイクラッチ
６４  トルクリミッタ
８３  画像形成層（感光層）
１００  熱現像装置
Ａ    熱現像記録材料
Ｃ    搬送路
【図１】
2005255373.tif 000003
【図２】
2005255373.tif 000004
【図３】
2005255373.tif 000005
【図４】
2005255373.tif 000006
【図５】
2005255373.tif 000007